(57)【要約】【課題】複数の記録メディアに適用されるインターフェース用回路素子の使用個数を減らし、デジタルカメラの小型化及びコスト削減を実現する。【解決手段】メディア制御器５はＨＤＤ８及びＳＤカード６のうち選択された一方の記録メディアと、ＭＰＥＧ Ｃｏｄｅｒ４との通信を制御する。スイッチ１４はＨＤＤ及びＳＤカードのうち一方を選択し、選択した記録メディアとメディア制御器５とを接続する。ＤＳＰ３はユーザインターフェース１３から入力される指示に応じて、スイッチ１４の接続を制御する。【選択図】      図１
2007082137.tif 000002
【特許請求の範囲】
【請求項１】
光学像を撮像する撮影手段と、
前記撮像手段により得られた画像データを圧縮する圧縮手段と、
前記圧縮手段により圧縮されたデータを格納する第１記録メディアと、
前記圧縮手段により圧縮されたデータを格納する第２記録メディアと、
前記第１及び第２記録メディアのうち選択された一方の記録メディアと、前記圧縮手段との通信を制御する通信制御部と、
前記第１及び第２記録メディアのうち一方を選択し、選択した記録メディアと前記通信制御部とを接続する接続切替手段と、
ユーザインターフェースと、
前記ユーザインターフェースから入力される指示に応じて、前記接続切替手段の接続を制御する制御手段と、
を具備することを特徴とするデジタルカメラ。
【請求項２】
前記装置に内蔵された半導体メモリを更に具備し、
前記制御手段は、前記ユーザインターフェースから、前記第１記録メディアに記録された所定データを前記第２記録メディアにダビングする指示を入力した場合、
前記接続切替手段を前記第１記録メディア側に切替え、
前記第１記録メディアから前記所定データを前記通信制御部を介して読出し、前記半導体メモリに書き込み、
前記接続切替手段を前記第２記録メディア側に切替え、
前記半導体メモリから前記所定データを読み出し、前記通信制御部を介して前記第２記録メディアに書き込むことを特徴とする請求項１記載のデジタルカメラ。
【請求項３】
光学像を撮像する撮影手段と、
前記撮像手段により得られた画像データを圧縮する圧縮手段と、
前記圧縮手段により圧縮されたデータを格納するＨＤＤと、
前記圧縮手段により圧縮されたデータを格納するメモリカードを装着するためのカードスロットと、
前記ＨＤＤ及び前記カードスロットに装着された前記メモリカードのうち選択された一方の記録メディアと、前記圧縮手段との通信を制御する通信制御部と、
前記ＨＤＤ及び前記カードスロットに装着された前記メモリカードのうち一方を選択し、選択した記録メディアと前記通信制御部とを接続する接続切替手段と、
ユーザインターフェースと、
前記ユーザインターフェースから入力される指示に応じて、前記接続切替手段の接続を制御する制御手段と、
を具備することを特徴とするデジタルカメラ。
【請求項４】
前記装置に内蔵された半導体メモリを更に具備し、
前記制御手段は、前記ユーザインターフェースから前記ＨＤＤ及び前記メモリカードの一方の記録メディアに記録された所定データを、他方の記録メディアにダビングする指示を入力した場合、
前記接続切替手段を前記一方の記録メディア側に切替え、前記一方の記録メディアから前記所定データを前記通信制御部を介して読出し、前記半導体メモリに書き込み、
前記接続切替手段を前記他方の記録メディア側に切替え、前記半導体メモリから前記所定データを読み出し、前記通信制御部を介して前記他方の記録メディアに書き込むことを特徴とする請求項３記載のデジタルカメラ。
【発明の詳細な説明】
【技術分野】
【０００１】
本発明は、撮影により得られる画像データを圧縮して記録メディアに記録するデジタルカメラに関する。
【背景技術】
【０００２】
デジタルカメラは、一般に半導体メモリからなるメモリカードなどの可搬型記録媒体を装着可能であり、撮影した画像はメモリカードに格納できる。ユーザーの操作により、メモリカードに格納されている画像データが読み出され、カメラに装備されている液晶表示部に表示される。
【０００３】
最近になって、大容量記録媒体であるＨＤＤ(hard disk drive) を搭載したデジタルカメラが開発された。このようなカメラでは、記録できる静止画の数及び動画像の記録時間が、従来のデジタルカメラより飛躍的に増大されている。
【０００４】
一般にデジタルカメラは、レンズからの光学像をＣＣＤにより電気情報に変換し、更にＡ／Ｄ変換器によってデジタル信号に変換する。Ａ／Ｄ変換器からの信号はＤＳＰによって所定フォーマットの映像信号に変換され、圧縮／伸長部によって圧縮される。
【０００５】
一般にメモリカードとＨＤＤを具備するデジタルカメラは、メディアとのインターフェースを行う通信制御部として、メモリカード用の第１インターフェース回路と、ＨＤＤ用の第２インターフェース回路を有している。圧縮／伸長部によって圧縮された画像データは、第１及び第２インターフェース回路に出力される。圧縮データを圧縮／伸長部からメモリカードに転送する場合は第１インターフェース回路が動作し、ＨＤＤに転送する場合は第２インターフェース回路が動作する。
【０００６】
メディアに書き込まれたデータの再生は逆の経路で行われる。すなわち、メモリカードに書き込まれた圧縮データを再生する場合は第１インターフェース回路が動作し、ＨＤＤに書き込まれた圧縮データを再生する場合は第２インターフェース回路が動作する。圧縮／伸長部は入力圧縮データを伸張し、伸長されたデータはＬＣＤコントローラを介してＬＣＤに映像として表示される。
【０００７】
下記特許文献１には、内部メモリ、マイクロドライブ（ＨＤＤ）、メモリカードを備え、動画記録時にズーミング及びＡＦ機構が駆動されている場合はマイクロドライブの駆動を禁止し、内部メモリまたはメモリカードへ記録することでラッシュ電流を制限し、システムダウンを防ぐデジタルカメラが開示されている。
【特許文献１】特開２００４−１８７０５７号公報
【発明の開示】
【発明が解決しようとする課題】
【０００８】
デジタルカメラは携帯されるため、小型化はデジタルカメラの重要課題である。また他の製品と同様にデジタルカメラもコスト削減が求められる。装置の小型化及びコストを削減する方法として、装置が具備するＬＳＩ等の電子回路の素子数を減らすことが考えられる。インターフェース回路は１つの集積回路素子として構成できる。ＨＤＤとメモリカードのように、複数の記録メディアを使用する場合、前述したように各記録メディアについて個別のインターフェース回路が必要となる。
【０００９】
上記特許文献１には、１つのインターフェース回路にマイクロドライブ及びメモリカードが接続され、圧縮伸長部がインターフェース回路を介してマイクロドライブ及びメモリカードの一方とデータ転送を行う構成が示されている。しかしインターフェース回路自体の回路構成は何ら示されておらず、インターフェース用回路素子の使用個数の減少については示唆されてもいない。
【００１０】
本発明は、複数の記録メディアに適用されるインターフェース用回路素子の使用個数を減らし、デジタルカメラの小型化及びコスト削減を実現することを目的とする。
【課題を解決するための手段】
【００１１】
上記目的を達成するために本発明の１実施例に係るデジタルカメラは、光学像を撮像する撮影手段と、前記撮像手段により得られた画像データを圧縮する圧縮手段と、前記圧縮手段により圧縮されたデータを格納する第１記録メディアと、前記圧縮手段により圧縮されたデータを格納する第２記録メディアと、前記第１及び第２記録メディアのうち選択された一方の記録メディアと前記圧縮手段との通信を制御する通信制御部と、前記第１及び第２記録メディアのうち一方を選択し、選択した記録メディアと前記通信制御部とを接続する接続切替手段と、ユーザインターフェースと、前記ユーザインターフェースから入力される指示に応じて、前記接続切替手段の接続を制御する制御手段とを具備する。
【発明の効果】
【００１２】
複数の記録メディアに適用されるインターフェース用回路素子の使用個数を減少し、デジタルカメラの小型化及びコスト削減を実現できる。
【発明を実施するための最良の形態】
【００１３】
以下、図面を参照して本発明の実施の形態を詳細に説明する。
【００１４】
図１は本発明の一実施形態に係るデジタルカメラの構成を示すブロック図である。
【００１５】
撮像レンズ１１により得られる光学像はＣＣＤ１２により電気情報に変換され、更にＡＤ変換器２によってデジタル信号に変換される。撮像レンズ１１とＣＣＤ１２は、光学像を撮像する撮像部１を構成する。ＡＤ変換器２からの信号はＤＳＰ(digital signal processor)３によって、たとえばＲＧＢのような所定形式の画像データ（静止画データ及び動画像データを含む）に変換される。ＤＳＰ３は本装置を総合的に制御するＣＰＵ(Central Processing Unit)としても機能する。ＤＳＰ３は各種制御プログラムを有し、ユーザインターフェース（ＵＩＦ）１３から入力されるユーザ指示に応じて、ＲＡＭ７をワークエリアとして使用し装置各部を制御する。
【００１６】
ＤＳＰ３からの映像データはＭＰＥＧ Ｃｏｄｅｒ４によって圧縮される。圧縮された映像データはメディア制御器５及びスイッチ１４を介してＳＤ(secured digital)カード６またはＨＤＤ８に出力され、メディア制御器５の制御の基に記録される。メディア制御器５は、ＭＰＥＧ Ｃｏｄｅｒ４と記録メディア（ＳＤカード６またはＨＤＤ８）とのインターフェースを行う通信制御部である。
【００１７】
スイッチ（接続切替手段）１４はＤＳＰ３からの制御信号に応じて、メディア制御器５から提供される画像データをＳＤカード６及びＨＤＤ８の一方に伝送するアナログスイッチである。ＳＤカード６は、例えば２Ｇバイト容量を有するメモリカードであり、ＨＤＤ８は例えば２０Ｇバイド容量を有し装置に内蔵されている記録メディアである。
【００１８】
記録メディアの画像データを再生する場合は、スイッチ１４によりＳＤカード６及びＨＤＤ８の一方が選択され、選択されたメディアの画像データがメディア制御器５の制御の基に読出される。読出された画像データ（圧縮データ）はＭＰＥＧ Ｃｏｄｅｒ４により伸張され、ＬＣＤ制御器ｌ９の制御の基に液晶表示部（ＬＣＤ）１０に表示される。
【００１９】
図２はメディア制御器５、スイッチ１４、ＳＤカード６、ＨＤＤ８における主な信号線の接続の様子を示す図である。以下の説明において、信号線と信号は同一の参照符号を用いて引用される。
【００２０】
メディア制御器５は４ビットバスラインＤＡＴ０−３を介してデータ及びコマンドをクロック信号ＣＬＫに同期してパラレル送信する。データを送信するときは信号ＣＭＤを例えばローレベルとし、コマンドを送信するときはハイレベルとする。メディア制御器５は例えばデータ記録時に、ＭＰＥＧ Ｃｏｄｅｒ４から供給されるＭＰＥＧ方式で圧縮された画像データを、ＳＤカード６のデータフォーマットにフォーマット変換し、バスラインＤＡＴ０〜ＤＡＴ３を介してスイッチ１４に送信する。またメディア制御器５は、ＤＳＰ３の処理速度と、ＳＤカード６及びＨＤＤ８の処理速度の差を、内蔵するバッファメモリを用いて吸収する処理も行う。
【００２１】
スイッチ１４はＤＳＰ３から供給される選択信号ＳＥＬに応じて、メディア制御器５からの信号線ＣＬＫ、ＣＭＤ、ＤＡＴ０−３を、ＳＤカード６とＨＤＤ８の一方の側の信号線ＣＬＫ、ＣＭＤ、ＤＡＴ０−３に接続する。ＳＤカード６はＳＤカードフォーマットのデータを記録する着脱可能記録メディアであり、カードスロット１５を介してスイッチ１４に接続される。ＨＤＤ８はＳＤインターフェース用ＨＤＤであって、ＳＤカードと同一のインターフェース方式でデータ転送を行うことができ、ＳＤカードフォーマットのデータを記録するよう構成された記録メディアである。従ってメディア制御器５は記録メディアを区別することなくデータ通信を行うことができる。
【００２２】
次に、一方のメディアに記録された画像データを他方のメディアにコピーするダビング処理について説明する。
【００２３】
図３は本発明のデジタルカメラにより実施されるダビング処理の１実施例を示すフローチャートである。ここでは、ＳＤカード６に記録された画像データをＨＤＤ８にダビングする場合を例として説明する。
【００２４】
ユーザインターフェース１３からダビング指示を入力すると、ＤＳＰ３はスイッチ（ＳＷ）１４をＳＤカード側に切替え（Ｓ１）、ＲＡＭ７の空き容量がダビングすべきデータ量より大きいか判断する（Ｓ２）。空き容量がダビングすべきデータ量より大きい場合、ＤＳＰ３はメディア制御器５を用いてダビング対象の画像データをＳＤカードから読出し、ＲＡＭ７に格納する（Ｓ３）。次にＤＳＰ３はスイッチ１４をＨＤＤ８側に切り替え（Ｓ４）、ＲＡＭ７内のダビング対象データをＨＤＤ８に移動し（Ｓ５）、処理は終了する。
【００２５】
空き容量がダビングすべきデータ量より小さい場合（Ｓ２のＮｏ）、ＤＳＰ３はメディア制御器５を用いて、ＳＤカード６からダビング対象の画像データを、空き容量に対応する量だけ読出しメモリに格納する（Ｓ６）。次にＤＳＰ３はスイッチ１４をＨＤＤ側へ切替え（Ｓ７）、メモリに格納したダビング対象データをＨＤＤ８へ移動する（Ｓ８）。
【００２６】
処理はステップＳ１へ戻り、ＤＳＰ３はステップＳ１及びＳ２を再び実行する。ＲＡＭ７の空き容量が、ＳＤカード６内の残りのダビング対象データのデータ量より大きくなるまで、ＤＳＰ３はステップＳ６〜Ｓ８及びＳ１、Ｓ２を繰り返し実行する。
【００２７】
ＲＡＭ７の空き容量が、ＳＤカード６内の残りのダビング対象データのデータ量より大きくなると（Ｓ２のＹｅｓ）、ＤＳＰ３は前述したようにステップＳ３〜Ｓ５を実行しし処理は終了する。
【００２８】
以上説明したように、従来は複数のメディアと通信する場合は複数のメディア制御器が必要であったが、本発明によれば、スイッチを用いて１つのメディア制御器が複数のメディアと通信することが可能となる。従って、必要なメディア制御器の個数が削減され、コスト改善とメディア制御器を設けるための基板エリアの削減を実現でき、装置の小型化に寄与することができる。
【００２９】
以上の説明はこの発明の実施の形態であって、この発明の装置及び方法を限定するものではなく、様々な変形例を容易に実施することができる。例えば、メモリカードとＨＤＤを使用するデジタルカメラに限らず、２つメモリカードあるいは２つの光ディスクドライブを使用するデジタルカメラについても、本発明を適用できることは明らかである。また、各実施形態における構成要素、機能、特徴あるいは方法ステップを適宜組み合わせて構成される装置または方法も本発明に含まれるものである。
【図面の簡単な説明】
【００３０】
【図１】本発明の一実施形態に係るデジタルカメラの構成を示すブロック図である。
【図２】メディア制御器５、スイッチ１４、ＳＤカード６、ＨＤＤ８における主な信号線の接続の様子を示す図である。
【図３】本発明のデジタルカメラにより実施されるダビング処理の１実施例を示すフローチャートである。
【符号の説明】
【００３１】
１…ＣＣＤ撮像素子、２…Ａ／Ｄ変換器、３…ＤＳＰ、４…ＭＰＥＧ Ｃｏｄｅｒ、５…メディア制御器、１４…スイッチ、６…メモリカード、８…ＨＤＤ。
【図１】
2007082137.tif 000003
【図２】
2007082137.tif 000004
【図３】
2007082137.tif 000005